(57)【要約】【課題】  最初の開蓋が容易にできるとともに、開蓋状態を確認することができ、故意、または過失による不正な開蓋を防止することができるようにした容器を提供すること。【解決手段】  容器本体の口筒部に装着され、容器内を密封する外キャップを具えた容器において、容器本体は、口筒部と、肩部と胴部とを具え、胴部の上端部には、係合突部が配設され、外キャップは、頂壁と、肩部に被嵌される外周壁と、外周壁の外周下端部に破断可能に連設され、胴部上端部に係合する切断可能な封緘帯とを具え、封緘帯には、係合突部と係合する係合孔が配設されており、胴部の上端部外周に嵌着されていることを特徴とする。【選択図】  図１
2010235168.tif 000002
【特許請求の範囲】
【請求項１】
容器本体の口筒部に装着され、容器内を密封する外キャップを具えた容器において、
容器本体は、口筒部と、肩部と胴部とを具え、
胴部の上端部には、係合突部が配設され、
外キャップは、頂壁と、肩部に被嵌される外周壁と、外周壁の外周下端部に破断可能に連設され、胴部上端部に係合する切断可能な封緘帯とを具え、
封緘帯には、係合突部と係合する係合孔が配設されており、胴部の上端部外周に嵌着されていることを特徴とする容器。
【請求項２】
封緘帯は、所定位置に、上端から下端までの切込みにより隙間が形成されるとともに、切込み内に破断可能な弱化片が配設され、環状に連設されていることを特徴とする請求項１記載の容器。
【請求項３】
封緘帯の上端部が、外周壁の外周下端部よりわずかに上方に突出するように連設されていることを特徴とする請求項１または２記載の容器。
【請求項４】
容器が、横断面形状が複数の辺部と角部とからなる多角形に形成され、
容器本体の肩部の側壁の辺部の中央に係合凹部が凹設され、  
外キャップの外周壁の辺部の中央内周に係合凹部に係合する係合部が形成されていることを特徴とする請求項１〜３のいずれかに記載の容器。
【請求項５】
容器と外キャップが、横断面形状が略四角形に形成されていることを特徴とする請求項４記載の容器。
【請求項６】
容器本体の口筒部に、上部に注出筒を具えた内キャップを装着し、
外キャップが容器本体の口筒部に装着するとともに、内キャップの注出筒を封鎖し、容器内を密封することを特徴とする請求項１〜５のいずれかに記載の容器。
【発明の詳細な説明】
【技術分野】
【０００１】
本発明は、キャップ、とくに容器本体に装着される外キャップに関するものである。
【背景技術】
【０００２】
食用液などを収納する容器本体と、容器本体の口筒部に装着し、閉蓋する外キャップとからなる容器において、店頭での陳列時に蓋の状態を確認して、故意、または過失による不正な開蓋を防止することができる容器は、従来より知られている（例えば、特許文献１参照）。
【先行技術文献】
【特許文献】
【０００３】
【特許文献１】特開２００６−２６４７１１号公報
【発明の概要】
【発明が解決しようとする課題】
【０００４】
しかしながら、従来の容器の構成では、最初の開蓋を確認するために、外キャップと容器本体の他に別部材でＴＥバンドが必要であり、部材数が多くなるという問題があった。
また、容器を使用する際に、ＴＥバンドを外す必要があり、手間がかかるという問題があった。
【０００５】
本発明は、上記の問題を解決することを課題とし、最初の開蓋が容易にできるとともに、開蓋状態を確認することができ、故意、または過失による不正な開蓋を防止することができるようにした容器を提供することを目的とする。
【課題を解決するための手段】
【０００６】
本発明は、上記の課題を解決するため、容器として、容器本体の口筒部に装着され、容器内を密封する外キャップを具えた容器において、容器本体は、口筒部と、肩部と胴部とを具え、胴部の上端部には、係合突部が配設され、外キャップは、頂壁と、肩部に被嵌される外周壁と、外周壁の外周下端部に破断可能に連設され、胴部上端部に係合する切断可能な封緘帯とを具え、封緘帯には、係合突部と係合する係合孔が配設されており、胴部の上端部外周に嵌着されていることを特徴とする構成を採用する。
【０００７】
封緘帯の実施例として、封緘帯は、所定位置に、上端から下端までの切込みにより隙間が形成されるとともに、切込み内に破断可能な弱化片が配設され、環状に連設されていることを特徴とする構成、または、封緘帯の上端部が、外周壁の外周下端部よりわずかに上方に突出するように連設されていることを特徴とする構成を採用する。
【０００８】
容器本体の実施例として、容器が、横断面形状が複数の辺部と角部とからなる多角形に形成され、容器本体の肩部の側壁の辺部の中央に係合凹部が凹設され、外キャップの外周壁の辺部の中央内周に係合凹部に係合する係合部が形成されていることを特徴とする構成、または、容器と外キャップが、横断面形状が略四角形に形成されていることを特徴とする構成、或いは、容器本体の口筒部に、上部に注出筒を具えた内キャップを装着し、外キャップが容器本体の口筒部に装着するとともに、内キャップの注出筒を封鎖し、容器内を密封することを特徴とする構成を採用する。
【発明の効果】
【０００９】
本発明は、容器本体の口筒部に装着され、容器内を密封する外キャップを具えた容器において、容器本体は、肩部と胴部を具え、胴部の上端部に係合突部を配設し、外キャップは、肩壁と係合する外周壁と、外周壁の外周下端部に破断可能に連設され、胴部と係合する破断可能な封緘帯とを具え、封緘帯に係合突部と係合する係合孔を配設することによって、閉蓋時に、胴部の上端部に封緘帯が嵌着し、最初の開蓋の際に、外キャップを回転させると、封緘帯が、外周壁との連設が破断されるとともに、封緘帯自体も、切込み部で切断して、外キャップおよび胴部から外れ、また、外周壁の外周下端部に破断した跡が残り、開蓋状態を簡単に確認できるので、故意、または過失による不正な開蓋を防止することが容易にできるようになった。
【図面の簡単な説明】
【００１０】
【図１】本発明の容器の説明図で、（ａ）は正面図、（ｂ）は断面側面図である。
【図２】容器本体と内キャップの一部断面側面図である。
【図３】外キャップの説明図で、（ａ）は上面図、（ｂ）は断面正面図である。
【図４】図１におけるａ−ａ線切断上面図である。
【図５】外キャップ回転時の要部の説明図で、（ａ）は外キャップ回転初期、（ｂ）は外キャップ開蓋前の上面図である。
【発明を実施するための最良の形態】
【００１１】
次に、本発明の容器の実施形態について、図面を参照して説明する。
図１において、Ａは容器本体、Ｂは容器本体Ａの口筒部に装着される内キャップ、Ｃは容器内を密封する外キャップである。
【００１２】
容器本体Ａは、図１、２に示すように、口筒部１と、口筒部１の下端に連設され、横断面形状が略四角形に形成される肩部２と胴部３とを具えており、口筒部１には、上部外周に、係合突条４が設けられ、その下方にネックリング５が設けられている。
【００１３】
肩部２は、口筒部１の下端から略四角形を形成するように延びる肩壁６と、肩壁６下端から下方に向かい拡径する傾斜壁７と、傾斜壁７の下端外周に連設され、外縁に胴部３上端に連設する段部８とを具えている。
【００１４】
傾斜壁７は、四辺の辺部７ａと角部７ｂとから形成されており、辺部７ａの中央には、係合凹部９が凹設されている。
【００１５】
胴部３は、四辺の辺部３ａと角部３ｂとから形成されており、所定の対向する辺部３ａの中央上端部には、外側面を平面に形成した係合突部１０が配設されている。
【００１６】
内キャップＢは、図２に示すように、容器本体Ａの口筒部１に装着される中栓Ｂ１と、中栓Ｂ１と係合して開閉されるキャップＢ２とからなっている。
【００１７】
中栓Ｂ１は、内筒１１と、内筒１１の下端内周に連設される底壁１２と、内筒１１の中間部外周に連設される上壁１３と、上壁１３の外縁に垂設され、内周が容器本体Ａの口筒部１および係合突条４と係合する外筒１４とを具えている。
内筒１１の外周上部には、キャップＢ２と係合する係止部１５が設けられている。
【００１８】
底壁１２には、注出口を形成する除去部１６を切断する切断溝１７が刻設されており、除去部１６上面の所定位置には、支柱１８を介してプルリング１９が連設されている。
【００１９】
キャップＢ２は、注出筒２０と、注出筒２０下端外周に連設された上壁２１と、上壁２１下面に垂設され、外周が中栓Ｂ１の内筒１１内周に係合する内筒２２と、上壁２１外縁に垂設され、内周が中栓Ｂ１の内筒１１外周および係止部１５と係合する係合筒２３とを具えている。
実施例では、中栓Ｂ１とキャップＢ２は別体とし係合させているが、キャップＢ２をヒンジを介して中栓Ｂ１に連設するようにしてもよい。
【００２０】
外キャップＣは、図１、３に示すように、横断面形状が略四角形に形成され、頂壁２４と、頂壁２４外縁に垂設される外周壁２５と、上端部内周が外周壁２５の外周下端部に破断可能として連設される封緘帯２６とからなっている。
【００２１】
頂壁２４の下面には、外周がキャップＢ２の注出筒２０の内周に係合する係合筒２７が配設されている。
【００２２】
外周壁２５は、内周が容器本体Ａの肩部２の傾斜壁７外周に係合する四辺の辺部２５ａと、角部２５ｂとから形成されている。
【００２３】
辺部２５ａの内面中央には、上端から下端まで延びるリブ２８が設けられている。
リブ２８の下部は、先端部が肩部２の傾斜壁７のいずれかの係合凹部９に係合する係合部２９が形成され、リブ２８の内縁に設けられた内側壁２８ａには、所定位置に、閉蓋時に、上部が容器本体Ａのネックリング５外周下部に係合する係止突部３０が設けられている。
【００２４】
封緘帯２６は、上端部が外周壁２５の外周下端部よりわずかに上方に突出するとともに、内周が容器本体Ａの胴部３外周に係合する対向し合う二辺の辺部２６ａと辺部２６ａの側方の二辺の辺部２６ｂと、角部２６ｃとから形成されている。
辺部２６ａおよび辺部２６ｂの内周上端部には、外周壁２５の辺部２５ａ外周下端部に連設する破断可能な弱化片３１が配設されている。
【００２５】
辺部２６ａの中央部には、胴部３の係合突部１０と係合する係合孔３２が配設されており、いずれか一つの辺部２６ａには、上端から下端までの切込み３３により隙間が形成されるとともに、切込み３３内に破断可能な弱化片３４が配設され、封緘帯２６は環状に連設されている。
【００２６】
次に、本実施例の容器の作用効果について説明する。
本実施例の容器の組立は、キャップＢ２を中栓Ｂ１に閉蓋した内キャップＢを、容器本体Ａの口筒部１に装着した後、容器本体Ａに外キャップＣを装着して閉蓋する。
【００２７】
外キャップＣを容器本体Ａに閉蓋する際には、互いの辺部および角部の位置を合わせながら、容器本体Ａの上方から外キャップＣを被せて係合させ、閉蓋する。
その際、外キャップＣの封緘帯２６の辺部２６ａ中央下部が容器本体Ａの胴部３の係合突部１０を乗り越え、閉蓋時に、図１、４に示すように、辺部２６ａの係合孔３２内周に胴部３の係合突部１０が係合するとともに、辺部２６ａの外側面と係合突部１０の外側面が面一となる。
互いの辺部および角部の係合と、係合孔３２内周と係合突部１０との係合により、封緘帯２６は、容器本体Ａの胴部３に嵌着される。
【００２８】
また、容器本体Ａのネックリング５の外縁が、外キャップＣ内方のリブ２８のそれぞれの係止突部３０を乗り越え、閉蓋時に、係止突部３０の上部とネックリング５の外縁下部が係合するとともに、ネックリング５の外縁と内側壁２８ａが係合し、外キャップＣが容器本体Ａから外れることを防止している。
【００２９】
さらに、閉蓋時には、外キャップＣの外周壁２５のリブ２８の係合部２９が、容器本体Ａの肩部２の傾斜壁７の辺部７ａの係合凹部９と係合する。
【００３０】
キャップの使用にあたっては、まず、外キャップＣの外周壁２５を把持し、容器本体Ａに対して回転させる。
外キャップＣの外周壁２５を回転させ始めると、封緘帯２６は、容器本体Ａの胴部３に嵌着されているので、図５（ａ）に示すように、外周壁２５と封緘帯２６とを連設している弱化片３１を破断しながら封緘帯２６を残して、外キャップＣが回転していく。
【００３１】
さらに、外キャップＣの回転が進むと、外周壁２５の角部２５ｂ下部外周が、封緘帯２６の辺部２６ａおよび辺部２６ｂ上部内周に当接し、辺部２６ａおよび辺部２６ｂを外方に押し広げる。
辺部２６ａが押し広げられると、いずれかの辺部２６ａに設けた弱化片３４が破断し、図５（ｂ）に示すように、封緘帯２６が切断されて環状から帯状に変形する。
【００３２】
封緘帯２６が帯状になることにより、封緘帯２６と容器本体Ａの胴部３の互いの辺部および角部の係合が外れるとともに、係合孔３２内周と係合突部１０との係合が外れ、封緘帯２６が容器本体Ａの胴部３から外される。
【００３３】
また、外キャップＣを回転させると、外周壁２５のリブ２８の係合部２９が、係止凹部９から離れて傾斜壁７の表面に当接して外周壁２５の外形を変形させるとともに、外キャップＣが持ち上げられる。
外キャップＣが上昇することにより、容器本体Ａのネックリング５の外縁と、外キャップＣ内方のリブ２８の係合部２９との係合が外れ、外キャップＣが容器本体Ａから外れ、開蓋される。
【００３４】
さらに、外キャップＣを回転させることにより、外周壁２５の辺部２５ａのリブ２８の係合部２９と、容器本体Ａの傾斜壁７の辺部７ａの係合凹部９の係合が外れるとともに、係合部２９が辺部７ａに当接し、係合部２９が外側に押され、辺部２５ａ自体の下部中央が僅かに変形しながら回転される。
そして、外キャップＣの開蓋と同時に、係合部２９と辺部７ａとの当接が外れ、辺部２５ａの下部中央が復元することにより、使用者に、クリック感をあたえることができる。
【００３５】
最初の開蓋の際に、封緘帯２６が容器本体Ａの胴部３から外されることにより、外キャップＣを容器本体Ａに再度装着した際、外キャップＣから封緘帯２６が無くなっており、さらに、外周壁２５に弱化片３１を破断した跡が残るので、容器の開蓋状態が確認でき、故意、または過失による不正な開蓋を防止することができる。
【００３６】
容器本体Ａから外キャップＣを外し、開蓋した後、内キャップＢの中栓Ｂ１の上部からキャップＢ２を外し、中栓Ｂ１のプルリング１９に手指などを掛けて上方に引張り、除去部１６を切断溝１７を介して底壁１２から抜栓し、注出口を形成させる。
【００３７】
内容液の注出にあたっては、外キャップＣを取外して容器を傾け、キャップＢ２の注出筒２０より注出する。
また、キャップＢ２の装着を外し、中栓Ｂ１の内筒１１内周を通じて注出することもできる。
【００３８】
容器本体Ａの胴部３の上部に係合突部１０が突出しているので、容器を把持する際に、指が係合突部１０に引っ掛かり、すべり止めになる。
したがって、容器を確実に把持することができる。
【００３９】
抜栓後には、中栓Ｂ１にキャップＢ２を被嵌し、その上から、外キャップＣを装着し、閉蓋する。
その際、外キャップＣの係合筒２７がキャップＢ２の注出筒２０の内周に挿入され、容器内を密封することができる。
【００４０】
前記実施形態では、内キャップＢを、中栓Ｂ１と中栓Ｂ１に装着されるキャップＢ２としたが、外キャップと係合して閉蓋することができれば、中栓Ｂ１のみの構成でもよく、内キャップの構成は、上記各実施例の構成に限定されない。
また、容器本体の口筒部と外キャップとが係合して容器本体内を密封することができるのであれば、内キャップ自体がなくてもよい。
【００４１】
前記実施形態では、容器本体Ａの胴部３に二つの係合突部１０を配設し、外キャップＣの封緘帯２６に二つの係合孔３２を設けたが、互いの辺部および角部とともに封緘帯２６を胴部３に嵌着させることができればよいので、係合突部および係合孔の数は、所定位置に一つでも、または、複数でもよい。
【００４２】
前記実施形態では、外キャップＣの外周壁２５の各辺部２５ａと封緘帯２６との間を弱化片３１で連設し、外キャップＣの封緘帯２６のいずれか一つの辺部２６ａに、切込み３３および弱化片３４を配設したが、外キャップＣを回転させた際に、封緘帯２６を外周壁２６から外し、封緘帯２６自体を切断することができればよいので、弱化片の位置と数、封緘帯の切込み、および、それを連設する弱化片の位置および数はどこでもよく、前記実施形態の形態に限定されない。
【００４３】
前記実施形態では、容器を横断面形状が略四角形に形成したが、容器本体の肩部の傾斜壁と外キャップの外周壁、および、胴部と封緘帯の互いの辺部と角部が係合して閉蓋時に位置合わせされ、外キャップが回転させられることによって、開蓋されるとともに、封緘帯が破断して外れ、最初の開蓋状態が確認できればよいので、容器の形状は、横断面形状が辺部と角部が複数存在する多角形であってもよい。
【産業上の利用可能性】
【００４４】
本発明は、外キャップを最初に開蓋した際に、外キャップに連設した封緘帯が外れるとともに容器自体からも外れ、開蓋状態を確認することができ、故意、または過失による不正な開蓋の防止をすることができる。
また、外キャップと容器本体とを位置合わせして閉蓋する構成の容器であれば、容器の形状、内容液の如何にかかわらず、どのような容器にも広く使用可能である。
【符号の説明】
【００４５】
Ａ            容器本体
Ｂ            内キャップ
Ｂ１          中栓
Ｂ２          キャップ
Ｃ            外キャップ
１            口筒部
２            肩部
３            胴部
３ａ、７ａ、２５ａ、２６ａ、２６ｂ  辺部
３ｂ、７ｂ、２５ｂ、２６ｃ  角部
４            係合突条
５            ネックリング
６            肩壁
７            傾斜壁
８            段部
９            係合凹部
１０          係合突部
１１、２２    内筒
１２          底壁
１３、２１    上壁
１４          外筒
１５          係止部
１６          除去部
１７          切断溝
１８          支柱
１９          プルリング
２０          注出筒
２３、２７    係合筒
２４          頂壁
２５          外周壁
２６          封緘帯
２８          リブ
２８ａ        内側壁
２９          係合部
３０          係止突部
３１、３４    弱化片
３２          係合孔
３３          切込み
【図１】
2010235168.tif 000003
【図２】
2010235168.tif 000004
【図３】
2010235168.tif 000005
【図４】
2010235168.tif 000006
【図５】
2010235168.tif 000007